(57)【特許請求の範囲】
【請求項１】
表紙体の内表面の領域に、綴じ具を取り付ける保持部を備えるベース領域を、表紙体に一体成形され、
前記綴じ具は、枢軸を中心として回転することができるように表紙体に取り付けられ、
前記枢軸は、綴杆部の連結部の長手方向に沿ってのびて、綴じ具の枢軸部と保持部の軸受部とを連結しており、
前記保持部は、軸受部と前記枢軸部が回転するための枢軸収容部とを有し、
綴じ具の綴杆部の開閉の中心となる枢軸を表紙体の内表面に接近させるために、前記枢軸収容部が表紙体の内表面から外表面寄りに亘って設けられた、帳面。
【請求項２】
表紙体は、綴じ具の綴杆部の先端を係止するための閉鎖係止部を、表紙体に一体成形され、
前記閉鎖係止部は、閉じた綴杆部の先端を係止させるための表紙体の内表面より外表面側に、凹んだ部の周辺領域において、係止凸部及び／又は係止凹部を表紙体の内表面の近傍に設けられた、請求項１に記載の帳面。
【請求項３】
表紙体は、綴じ具の綴杆部の先端を係止するための閉鎖係止部が、表紙体に一体成形され、
前記閉鎖係止部は、
表紙体の内表面より外表面側に凹んだ綴杆先端受容部と、
前記綴杆先端受容部の周辺領域において、表紙体の背表紙部の幅より低く、且つ閉じた綴杆部の綴杆係止部を係止するように表紙体の内表面より突出した係止凸部及び／又は係止凹部とを有する、請求項１に記載の帳面。
【請求項４】
前記閉鎖係止部の綴杆先端受容部は、綴杆部を開閉するときの移動方向に綴杆部の先端を係止させるための係止凸部が形成され、
閉鎖係止部の係止凸部は、綴じ具を閉じたとき、綴じ具の綴杆部の綴杆凸部と向き合い、綴杆部の綴杆凸部とは反対側に向いて突き出されており、
綴じ具の綴杆部の綴杆凸部は、綴じ具を閉じたとき、弾発部材によって付勢されて閉鎖係止部の係止凸部と係合し、
綴じ具の綴杆部の綴杆凸部は、綴じ具を開くとき、該綴杆凸部の突き出た方向とは反対側に移動して閉鎖係止部の係止凸部と離れるように形成されている、請求項３に記載の帳面。
【請求項５】
前記保持部は、枢軸を装填するための軸受部と、枢軸部が回転するための空間を形成するための枢軸収容部とを有し、
前記軸受部は、表紙体の背表紙部の幅より低く且つ表紙体の内表面より枢軸を装填できるように突出し、
前記枢軸収容部は、表紙体の内表面より外表面側に凹んでいることを特徴とする、請求項１ないし請求項４のいずれかに記載の帳面。
【発明の詳細な説明】
【技術分野】
【０００１】
この発明は、手帳、ノート、帳簿、冊子等の帳面に関するものであり、特に、例えば、綴じ穴のあるリーフを綴じる手帳類、ファイル・バインダ等の帳面に関する。
【背景技術】
【０００２】
従来、リング状の部材を用いて、穴の開いたリーフを綴じていた手帳は、別体のリング綴じ具を表紙に固定している。また、表表紙部、裏表紙部及び背表紙部を連続的に有する表紙本体と、背表紙部の幅方向へ延びるように形成したスリットに挿入して起立姿勢で支持され紙葉類を係合させて綴じる盤状の綴じ具とを有するファイルが提案されている（特許文献１）。
【先行技術文献】
【特許文献】
【０００３】
【特許文献１】特開２００４−２５６４１号公報
【発明の概要】
【発明が解決しようとする課題】
【０００４】
しかしながら、従来の別体のリング綴じ具を表紙に固定している手帳は、部品点数も多く、特許文献１のファイルは、背表紙部の幅が広い、厚いファイルとなる。しかしながら、現在、部品点数も少なく、低背化を図ることができる帳面を求められている。
【０００５】
それゆえに、この発明の主たる目的は、部品点数を少なくし、低背化を図ることができる、帳面を提供することを可能にすることである。
【課題を解決するための手段】
【０００６】
請求項１の発明にかかる帳面は、表紙体の内表面の領域に、綴じ具を取り付ける開閉の中心となる保持部を備えるベース領域を、表紙体に一体成形され、
前記綴じ具は、枢軸を中心として回転することができるように表紙体に取り付けられ、
前記枢軸は、綴杆部の連結部の長手方向に沿ってのびて、綴じ具の枢軸部と保持部の軸受部とを連結しており、
前記保持部は、軸受部と前記枢軸部が回転するための枢軸収容部とを有し、
綴じ具の綴杆部の開閉の中心となる枢軸を表紙体の内表面に接近させるために、前記枢軸収容部が表紙体の内表面から外表面寄りに亘って設けられた、帳面である。
請求項２の発明にかかる帳面においては、表紙体は、綴じ具の綴杆部の先端を係止するための閉鎖係止部を、表紙体に一体成形され、前記閉鎖係止部は、閉じた綴杆部の先端を係止させるための表紙体の内表面より外表面側に、凹んだ部の周辺領域において、係止凸部及び／又は係止凹部を表紙体の内表面の近傍に設けられた、請求項１に記載の帳面である。
請求項３の発明にかかる帳面においては、表紙体は、綴じ具の綴杆部の先端を係止するための閉鎖係止部が、表紙体に一体成形され、
前記閉鎖係止部は、表紙体の内表面より外表面側に凹んだ綴杆先端受容部と、前記綴杆先端受容部の周辺領域において、表紙体の背表紙部の幅より低く、且つ閉じた綴杆部の綴杆係止部を係止するように表紙体の内表面より突出した係止凸部及び／又は係止凹部とを有する、請求項１に記載の帳面である。
請求項４の発明にかかる帳面においては、前記閉鎖係止部の綴杆先端受容部は、綴杆部を開閉するときの移動方向に綴杆部の先端を係止させるための係止凸部が形成され、閉鎖係止部の係止凸部は、綴じ具を閉じたとき、綴じ具の綴杆部の綴杆凸部と向き合い、綴杆部の綴杆凸部とは反対側に向いて突き出されており、綴じ具の綴杆部の綴杆凸部は、綴じ具を閉じたとき、弾発部材によって付勢されて閉鎖係止部の係止凸部と係合し、綴じ具の綴杆部の綴杆凸部は、綴じ具を開くとき、該綴杆凸部の突き出た方向とは反対側に移動して閉鎖係止部の係止凸部と離れるように形成されている、請求項３に記載の帳面である。
請求項５の発明にかかる帳面においては、前記保持部は、枢軸を装填するための軸受部と、枢軸部が回転するための空間を形成するための枢軸収容部とを有し、
前記軸受部は、表紙体の背表紙部の幅より低く且つ表紙体の内表面より枢軸を装填できるように突出し、
前記枢軸収容部は、表紙体の内表面より外表面側に凹んでいることを特徴とする請求項１ないし請求項４のいずれかに記載の帳面である。
前記枢軸収容部は、表紙体の高さ方向にのびる断面半円弧形の筋状であって、表紙体の内表面より外表面側に凹み、前記軸受部は、前記筋状の枢軸収容部の幅と同一かそれより狭い幅の断面半円弧形の筋状であって、表紙体の内表面より外表面側とは反対側に突出するとよい。
前記閉鎖係止部は、表紙体の高さ方向にのびる平面視略方形の綴杆先端受容部が適宜な間隔をあけて並列されるとよい。
前記枢軸収容部及び軸受部は、表紙体の折曲部と平行に、表紙体の高さ方向にのびる筋状であり、前記閉鎖係止部は、表紙体の折曲部と平行に、表紙体の高さ方向にのびる平面視略長方形である。
前記綴杆部は、適宜な間隔をあけて並列する綴杆部を綴杆部の基部において連結する連結部及び枢軸部を有し、前記保持部は、表紙体の高さ方向にのびる軸受部が適宜な間隔をあけて並列され、前記綴杆部の連結部に連設された枢軸部は、前記保持部の並列された軸受部の間に容れられるように構成されるとよい。
【発明の効果】
【０００７】
請求項１の発明によれば、表紙体の内表面の領域に、綴じ具を取り付ける開閉の中心となる保持部を備えるベース領域を、表紙体に一体成形され、
前記綴じ具は、枢軸を中心として回転することができるように表紙体に取り付けられ、
前記枢軸は、綴杆部の連結部の長手方向に沿ってのびて、綴じ具の枢軸部と保持部の軸受部とを連結しており、
前記保持部は、軸受部と前記枢軸部が回転するための枢軸収容部とを有し、
綴じ具の綴杆部の開閉の中心となる枢軸を表紙体の内表面に接近させるために、前記枢軸収容部が表紙体の内表面から外表面寄りに亘って設けられているので、部品点数を少なくし、低背化を図ることができる、帳面を提供することができる。
請求項２の発明によれば、表紙体は、綴じ具の綴杆部の先端を係止するための閉鎖係止部を、表紙体に一体成形され、前記閉鎖係止部は、閉じた綴杆部の先端を係止させるための表紙体の内表面より外表面側に、凹んだ部の周辺領域において、係止凸部及び／又は係止凹部を表紙体の内表面の近傍に設けられているので、部品点数を少なくし、低背化を図ることができる、帳面を提供することができる。
請求項３の発明によれば、表紙体は、綴じ具の綴杆部の先端を係止するための閉鎖係止部が、表紙体に一体成形され、
前記閉鎖係止部は、表紙体の内表面より外表面側に凹んだ綴杆先端受容部と、前記綴杆先端受容部の周辺領域において、表紙体の背表紙部の幅より低く、且つ閉じた綴杆部の綴杆係止部を係止するように表紙体の内表面より突出した係止凸部及び／又は係止凹部とを有している。
請求項４の発明によれば、前記閉鎖係止部の綴杆先端受容部は、綴杆部を開閉するときの移動方向に綴杆部の先端を係止させるための係止凸部が形成され、閉鎖係止部の係止凸部は、綴じ具を閉じたとき、綴じ具の綴杆部の綴杆凸部と向き合い、綴杆部の綴杆凸部とは反対側に向いて突き出されており、綴じ具の綴杆部の綴杆凸部は、綴じ具を閉じたとき、弾発部材によって付勢されて閉鎖係止部の係止凸部と係合し、綴じ具の綴杆部の綴杆凸部は、綴じ具を開くとき、該綴杆凸部の突き出た方向とは反対側に移動して閉鎖係止部の係止凸部と離れるように形成されているので、綴じ具を確実に閉じることをできるとともに、綴じ具を比較的容易に開くことをできる。
請求項５の発明によれば、前記保持部は、枢軸を装填するための軸受部と、枢軸部が回転するための空間を形成するための枢軸収容部とを有し、
前記軸受部は、表紙体の背表紙部の幅より低く且つ表紙体の内表面より枢軸を装填できるように突出し、
前記枢軸収容部は、表紙体の内表面より外表面側に凹んでいるので、部品点数を少なくし、低背化を図ることができる、帳面を提供することができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明にかかる手帳の斜視図解図である。
【図２】手帳の表紙を開いた状態における平面図解図である。
【図３】手帳の表紙を開いた状態における正面図解図である。
【図４】手帳の表紙を開いた状態における横断面図解図である。
【図５】手帳の表紙を開いた状態における横断面図解図である。
【図６】綴じ具を開いた状態における手帳の断面図解図である。
【図７】（Ａ）は閉じた状態における綴じ具の平面図解図であり、（Ｂ）は閉じた状態における綴じ具の横断面図解図である。
【図８】（Ａ）は閉じた状態から開きかけた状態における綴じ具の平面図解図であり、（Ｂ）は閉じた状態から開きかけた状態における綴じ具の横断面図解図である。
【図９】（Ａ）は開いた状態における綴じ具の正面図解図であり、（Ｂ）は開いた状態における綴じ具の側面図解図である。
【図１０】閉じた状態における手帳の平面図解図である。
【図１１】閉じた状態における手帳の正面図解図である。
【図１２】図１０ｃ−ｃ断面図解図である。
【図１３】図１２ｄ−ｄ断面図解図である。
【図１４】開いた状態における表紙の平面図解図である。
【図１５】表紙体の側面図解図である。
【図１６】開いた状態における表紙の断面図解図である。
【図１７】開いた状態における表紙の背面図解図である。
【図１８】（Ａ）はこの発明にかかる綴じ具の正面図解図であり、（Ｂ）は図１８（Ａ）のｅ−ｅ拡大断面図解図である。
【図１９】この発明にかかる綴じ具の背面図解図である。
【図２０】この発明にかかる綴じ具の左側面図解図である。
【図２１】この発明にかかる綴じ具の右側面図解図である。
【図２２】この発明にかかる綴じ具の平面図解図である。
【図２３】この発明にかかる綴じ具の底面図解図である。
【図２４】この発明にかかる手帳の説明図である。
【発明を実施するための形態】
【００１０】
図１は、この発明にかかる手帳の斜視図解図であり、図２は、手帳の表紙を開いた状態における平面図解図であり、図３は、手帳の表紙を開いた状態における正面図解図であり、図４は、手帳の表紙を開いた状態における横断面図解図であり、図５は、手帳の表紙を開いた状態における横断面図解図であり、図６は、綴じ具を開いた状態における手帳の断面図解図であり、図７は、（Ａ）は閉じた状態における綴じ具の平面図解図であり、（Ｂ）は閉じた状態における綴じ具の横断面図解図であり、図８は、（Ａ）は閉じた状態から開きかけた状態における綴じ具の平面図解図であり、（Ｂ）は閉じた状態から開きかけた状態における綴じ具の横断面図解図であり、図９は、（Ａ）は開いた状態における綴じ具の正面図解図であり、（Ｂ）は開いた状態における綴じ具の側面図解図である。
この発明にかかる帳面の一種である手帳１０００は、表表紙部１０１２と、裏表紙部１０１４と、表表紙部１０１２と裏表紙部１０１４との間に介在する背表紙部１０１６とを有する表紙体１０１０と、複数の綴杆部１２、前記綴杆部１２を連結するための連結部１４、前記綴杆部１２を構成する綴杆を開閉させるときの中心となる枢軸部１６を備える綴じ具１０と、裏表紙部１０１４の内側に綴じ具１０を固定するための保持部５０とを備える。
【００１１】
表紙体１０１０は、表表紙部１０１２と背表紙部１０１６との間に第１折曲部１０２０を形成され、且つ裏表紙部１０１４と背表紙部１０１６との間に第２折曲部１０２２を形成されている。
第１折曲部１０２０と第２折曲部１０２２とは、平行である。
【００１２】
表紙に固定される綴じ具１０は、ベース領域に、複数の綴杆部１２と、前記綴杆部１２を連結するための連結部領域を構成する連結部１４と、前記綴杆部１２を構成する綴杆を開閉させるときの中心となる枢軸部領域を構成する枢軸部１６とを備える綴じ具１０であって、綴杆部１２を連結部１４の長手方向に移動して閉じている綴杆部１２を開くことができるように構成されている。
ベース領域は、連結部１４及び枢軸部１６を設けるために、一定の面積を有する板状である。
【００１３】
表紙体１０１０は、その内表面１０３０の領域に設けられた綴じ具１０のベース領域において、綴じ具１０を取り付ける開閉の中心となる保持部５０を設けられている。
該綴じ具のベース領域と、綴じ具１０の綴杆部１２の先端を係止するための閉鎖係止部１００とは、表紙体１０１０に一体成形されている。
表紙体１０１０は、ポリプロピレン等の弾力性を有する合成樹脂で、綴じ具のベース領域、該綴じ具のベース領域に設けられた保持部５０及び閉鎖係止部１００を一体成形され、その内表面１０３０と綴じ具のベース領域とは、同一の厚さを有し、表紙体１０１０の内表面１０３０及び外表面１０３２を一体的に形成している。
【００１４】
前記保持部５０は、綴杆部１２の開閉の中心となる枢軸２００を表紙体１０１０の内表面１０３０に接近させるために、表紙体１０１０の内表面１０３０から外表面１０３２寄りに亘って設けられている。
【００１５】
前記閉鎖係止部１００は、綴杆部１２の先端を係止させるための係止凸部１２０及び／又は係止凹部を表紙体１０１０の内表面１０３０の近傍に設けられている。
【００１６】
前記保持部５０は、表紙体１０１０の背表紙部１０１６の幅より低く表紙体１０１０の内表面１０３０より僅かに突出した軸受部５２と、表紙体１０１０の内表面１０３０より外表面１０３２側に凹んだ枢軸収容部５４とを有する。
【００１７】
前記枢軸収容部５４は、表紙体１０１０の高さ方向（手前側から向こう側）にのびる断面半円弧形の筋状であって、表紙体１０１０の内表面１０３０より外表面１０３２側に凹んでいる。
枢軸収容部５４は、綴じ具１０を開閉するときに回転する枢軸部１６の回転するための空間を形成している。
前記軸受部５２は、前記筋状の枢軸収容部５４の幅と同一かそれより狭い幅の断面半円弧形の筋状であって、表紙体１０１０の内表面１０３０より外表面１０３２側とは反対側に突出している。
【００１８】
前記閉鎖係止部１００は、表紙体１０１０の高さ方向にのびる平面視略方形の綴杆先端受容部１１０が適宜な間隔をあけて、手前側から向こう側に向けて表紙体１０１０の高さ方向に並列されている。
閉鎖係止部１００は、並列された綴じ具１０の複数の綴杆部１２の間隔と同一の間隔をおいて、綴杆先端受容部１１０が並列されている。
前記綴杆先端受容部１１０は、２種類あって、一部の綴杆先端受容部１１０は、綴杆部１２を開閉するときの移動方向に綴杆部１２の先端を係止させるための係止凸部１２０及び／又は係止凹部が形成されている。
【００１９】
前記枢軸収容部５４及び軸受部５２は、表紙体１０１０の第１折曲部１０２０及び第２折曲部１０２２と平行に、表紙体１０１０の高さ方向（手前側から向こう側）にのびる筋状である。
前記閉鎖係止部１００は、表紙体１０１０の第１折曲部１０２０及び第２折曲部１０２２と平行に、表紙体１０１０の高さ方向（手前側から向こう側）にのびる平面視略長方形である。
【００２０】
枢軸部１６は、枢軸２００を装填されたときに、隣接する枢軸部１６の間に、軸受部５２の収容部を間欠的に形成されている。
【００２１】
軸受部５２は、表紙体１０１０の高さ方向（綴じ具１０の連結部１４の長手方向）において、綴じ具１０の枢軸部１６を収容するための適宜な間隔をあけて、複数、並列されている。すなわち、軸受部５２は、手前側より、第１の軸受部５２ａ，第２の軸受部５２ｂ，第３の軸受部５２ｃ，第４の軸受部５２ｄ，第５の軸受部５２ｅ及び第６の軸受部５２ｆが適宜な間隔をおいて並列されている。
隣接する第１の軸受部５２ａと第２の軸受部５２ｂとの間等は、綴じ具１０の枢軸部１６を装填するための長さと綴じ具１０を開閉するために移動するための距離とを合わせた間隔をあけている。
【００２２】
枢軸収容部５４は、合成樹脂により成形するときに金型を抜くための第１の孔７０を穿設されている。金型を抜くための第１の孔７０は、枢軸収容部５４の長手方向にのびる。
この実施の形態においては、第１の孔７０は、軸受部５２の頂部側、側面側又は表紙体１０１０の外表面１０３２側に、金型を抜き、製品を取り出すために設けられている。
【００２３】
前記閉鎖係止部１００は、表紙体１０１０の内表面１０３０より外表面１０３２側に凹んだ綴杆先端受容部１１０と、前記綴杆先端受容部１１０の周辺領域において、表紙体１０１０の背表紙部１０１６の幅より低く表紙体１０１０の内表面１０３０より僅かに突出した係止凸部１２０及び／又は係止凹部とを有する。
綴杆先端受容部１１０は、後述する綴杆部１２の綴杆係止部３０を係止する係止凸部１２０を形成された第１の綴杆先端受容部１１０ａと、係止凸部１２０を形成されていない第２の綴杆先端受容部１１０ｂとを備える。
閉鎖係止部１００は、綴杆先端受容部１１０を構成するその内の手前側の二つの綴杆先端受容部１１０（第１の綴杆先端受容部１１０ａ）、中央の二つの綴杆先端受容部１１０（第１の綴杆先端受容部１１０ａ）及び向こう側の綴杆先端受容部１１０（第１の綴杆先端受容部１１０ａ）が、係止凸部１２０及び／又は係止凹部を有する。
【００２４】
閉鎖係止部１００の係止凸部１２０は、綴杆先端受容部１１０（第１の綴杆先端受容部１１０ａ）の長手方向における一端側（手前側）である押圧部１８０側に、綴杆先端受容部１１０（第１の綴杆先端受容部１１０ａ）の中間あたりまでのびて形成されている。
この実施の形態においては、閉鎖係止部１００は、その内の手前側の二つの綴杆先端受容部１１０（第１の綴杆先端受容部１１０ａ）、中央の二つの綴杆先端受容部１１０（第１の綴杆先端受容部１１０ａ）及び向こう側の綴杆先端受容部１１０（第１の綴杆先端受容部１１０ａ）が、第２の孔７２を穿設されている。第２の孔７２は、綴じ具１０の綴杆部１２の綴杆凸部３４を、綴じ具１０を閉じたときに収容するための空間を形成するとともに、閉鎖係止部１００に係止凸部１２０を合成樹脂で成形するときに、金型を抜くために形成されている。
【００２５】
前記綴杆部１２は、適宜な間隔をあけて並列する綴杆部１２を綴杆部１２の基部２０において、複数綴杆部１２を連結する連結領域を構成する連結部１４及び綴杆部１２を開閉するときの枢結領域を構成する枢軸部１６を有している。
枢軸部１６は、表紙体１０１０の高さ方向（綴じ具１０の連結部１４の長手方向）において、保持部５０の並列された枢軸収容部５４の間に収容されるように、適宜な間隔をあけて、複数、一直線上に並列されている。
すなわち、枢軸部１６は、手前側より、第１の枢軸部１６ａ，第２の枢軸部１６ｂ，第３の枢軸部１６ｃ，第４の枢軸部１６ｄ，第５の枢軸部１６ｅ，第６の枢軸部１６ｆ及び第７の枢軸部１６ｇが、適宜な間隔をおいて並列されている。
隣接する第１の枢軸部１６ａと第２の枢軸部１６ｂとの間等は、保持部５０の枢軸収容部５４に装填されるための長さと綴じ具１０を開閉するために移動するための距離とを合わせた間隔をあけている。
前記保持部５０は、表紙体１０１０の高さ方向にのびる軸受部５２が適宜な間隔をあけて並列され、前記綴杆部１２の連結部１４に突設された枢軸部１６は、前記保持部５０の並列された軸受部５２の間に容れられている。
【００２６】
前記綴杆部１２を構成する綴杆は、閉鎖係止部１００と向き合うように、前記連結部１４にその長手方向に適宜な間隔をおいて、連結部１４の外側部ないしは上側部から突設されている。
綴杆部１２を構成する複数の綴杆は、全て略々同一の形状であって、半円弧状の半割杆が、一定の間隔をあけて、手前側から向こう側に向けて並列されている。
【００２７】
枢結領域は、綴杆部１２を枢軸部１６を中心にして綴じ具１０の保持部５０に連結し、綴杆部１２を開閉するときの回転の中心となる領域として構成される。
【００２８】
綴杆部１２は、綴杆係止部３０の連結部１４に連設された基部２０とは反対側の自由端２２に、綴杆部１２を閉鎖したときに、閉鎖係止部１００に係止するための綴杆係止部３０を形成されている。
【００２９】
綴杆部１２は、半円弧状の半割杆から構成されている。綴じ具１０の綴杆部１２の基部２０と頂部との間の長さ（すなわち綴杆部１２の高さ）は、背表紙部１０１６の背幅と略同等もしくはわずかに長く形成されている。
そして、綴杆部１２は、リーフ１１１０に予め穿設された綴じ穴１１１２に挿通して、リーフ１１１０を綴じることができるように、自由端に綴杆係止部３０が形成されている。
そして、綴杆部１２は、閉じられた綴杆部１２を開くときにおいては、連結部１４の長さ方向に変位させる。すなわち、綴杆部１２は、綴杆係止部３０を閉鎖係止部１００から脱係させるために連結部１４の手前側に形成された押圧部１８０を、指で押すことにより、連結部１４の長さ方向において手前側から向こう側に移動させることができるように構成されている。
更に、綴杆部１２は、押圧部１８０を綴杆部１２の先端が閉鎖係止部１００から離れる方向、すなわち表表紙部１０１２の方向に回転させることにより、係止された綴杆係止部３０を閉鎖係止部１００から外すことができるように構成されている。
【００３０】
前記綴杆部１２の綴杆係止部３０は、図１８において示すように、円弧状凹部３２を凹設され、凹部３２に続いて自由端に鉤鼻状の綴杆凸部３４が形成されている。
この実施の形態においては、押圧部１８０を指で押すことにより、綴杆部１２を向こう側に移動させ、綴杆部１２の綴杆係止部３０と閉鎖係止部１００の係止凸部１２０との係合を外すことができる。
なお、綴杆部１２を閉じるときにおいては、綴杆係止部３０と閉鎖係止部１００の係止凸部１２０とは、突き出た鉤鼻状の綴杆凸部３４を滑りながら綴杆係止部３０の手前側の凹部３２に嵌まるようにするために、綴杆係止部３０が、なだらかな傾斜面を自由端側から形成されている。
【００３１】
この実施の形態においては、連結部１４は、略円柱状ないしは略四角柱状である。
そして、連結部１４は、綴杆部１２の回転方向と直交し綴じ具１０を閉じたときに垂直にすなわち表紙体１０１０の高さ方向にのびるように形成されている。
【００３２】
前記綴杆部１２は、その側面に、綴杆部１２の開き角度をリーフ１１１０の挿入し易い角度、例えば約６０〜７０度に規制するための開き角規制部を形成されている。
綴杆部１２の開き角規制部は、断面略半円弧状であり、綴杆部１２の基部２０側の外側面の接合面４０を備える。
【００３３】
前記枢軸部１６は、枢軸２００の挿入部３６を備える。
枢軸部１６は、連結部１４に連設された複数の枢軸部１６（第１の枢軸部１６ａ，第２の枢軸部１６ｂ，第３の枢軸部１６ｃ，第４の枢軸部１６ｄ，第５の枢軸部１６ｅ，第６の枢軸部１６ｆ及び第７の枢軸部１６ｇ）から構成されており、各枢軸部１６は挿入部３６を構成されている。
前記枢軸部１６は、前記綴杆部１２及び／又は連結部１４に突設され、それぞれ枢軸２００を装填するための挿入部３６を中央に形成されている。
第１の枢軸部１６ａ，第２の枢軸部１６ｂ，第３の枢軸部１６ｃ，第４の枢軸部１６ｄ，第５の枢軸部１６ｅ，第６の枢軸部１６ｆ及び第７の枢軸部１６ｇは、それぞれ一直線状に並ぶとともに、第１の枢軸部１６ａ，第２の枢軸部１６ｂ，第３の枢軸部１６ｃ，第４の枢軸部１６ｄ，第５の枢軸部１６ｅ，第６の枢軸部１６ｆ及び第７の枢軸部１６ｇは、それぞれ穿設された挿入部３６が、一直線状に並ぶ。
軸受部５２は、枢軸２００を装填するための挿入部５６を中央に形成されている。
第１の軸受部５２ａ，第２の軸受部５２ｂ，第３の軸受部５２ｃ，第４の軸受部５２ｄ，第５の軸受部５２ｅ及び第６の軸受部５２ｆに、それぞれ穿設された挿入部５６は、一直線状に並ぶ。
前記枢軸２００は、前記連結部１４の長手方向に沿って、向こう側から手前側に連続してのび、綴じ具１０の枢軸部１６と保持部５０の軸受部５２とを連結する。
綴じ具１０の枢軸部１６は、綴杆部１２の先端を閉鎖係止部１００に嵌合して閉鎖するとき及び綴杆１２の先端を離間させるときに回転中心となるように構成されている。
【００３４】
前記枢軸部１６は、前記連結部１４の長手方向に間欠的に形成され、前記枢軸２００を中心にして回転し且つ綴杆部１２を開閉するときに長手方向に変移するように間隙を形成されている。
綴じ具１０の枢軸部１６と枢軸部１６を収容する軸受部５２とにより形成される間隙は、収容された枢軸部１６と軸受部５２との間に、綴杆部１２の綴杆係止部３０（綴杆凸部３４）が閉鎖係止部１００の係止凸部１２０より脱係するための間隙を残すように、その長さを形成されている。
【００３５】
前記枢軸２００は、断面円形の棒状の金属棒である。それに対応して、前記枢軸部１６は、全体が弧状で、その内側の挿入部３６に前記枢軸２００を装填され、且つ、前記綴杆部１２の張り出し方向とは反対方向に張り出すように、前記連結部１４に連設されている。
この実施の形態においては、枢軸２００と枢軸部１６とは別部材である。綴杆部１２は、連結部１４と合成樹脂により一体成形され、枢軸部１６は、合成樹脂により、連結部１４と一体に形成されている。
そして、枢軸２００は、綴じ具１０の最も向こう側の枢軸部１６（第７の枢軸部１６ｇ）から、枢軸部１６の最も手前側の枢軸部１６（第１の枢軸部１６ａ）に至るように、形成されている。
【００３６】
閉鎖係止部１００の係止凸部１２０は、綴杆部１２の綴杆凸部３４と向き合い、綴杆部１２の綴杆凸部３４の突き出る方向とは反対側に向いて突き出されている。
閉鎖係止部１００の係止凸部１２０は、向こう側に向いて突き出され、綴杆部１２の綴杆凸部３４は、手前側に向いて突き出されている。
綴じ具１０の綴杆部１２が閉じたとき、綴杆部１２の凹部３２に閉鎖係止部１００の係止凸部１２０が嵌挿され、閉鎖係止部１００の係止凸部１２０と綴杆部１２の綴杆凸部３４とは、弾発部材３００の付勢力によって係合する。
この実施の形態においては、綴杆部１２の綴杆凸部３４は、綴じ具１０の連結部１４の手前側において手前側に向いて突設された押圧部１８０側に向いて、突き出され、閉鎖係止部１００の係止凸部１２０は、綴杆部１２の綴杆凸部３４の突き出された方向とは反対側である向こう側に向いて突き出されている。
係止凸部１２０は、第２の孔７２側の面が、表紙体１０１０の内表面１０３０と略同じ面上に設けられ、綴じ具１０を閉じたとき、綴じ具１０の綴杆係止部３０の凹部３２と接合するように形成されている。綴じ具１０の綴杆係止部３０の綴杆凸部３４は、第２の孔７２内に収容される。
【００３７】
前記枢軸２００の長手方向にテンション（引張力又は圧縮力）をかける弾発部材３００は、前記連結部１４の中央あたりに存する前記綴杆部１２の枢軸部１６と保持部５０の軸受部５２との間に、圧縮された状態で介装されている。
弾発部材３００は、鋼線をコイル形に巻いて作られたコイルバネにより形成され、筒形のコイルバネの輪の中に枢軸２００を挿通されている。
そして、弾発部材３００は、その向こう側端が保持部５０の軸受部５２（第４の軸受部５２ｄ）の手前側端に接し、その手前側端が綴じ具１０の枢軸部１６（第４の枢軸部１６ｄ）の向こう側端に接して、復元力（均一な）によって綴杆部１２及び連結部１４を手前側に押し下げ且つ保持部５０の軸受部５２を向こう側に押し上げるように構成されている。
【００３８】
前記綴杆を開閉させるときの中心ののびる方向における一端又は両端の領域には、綴杆部１２を構成する複数の綴杆を、閉鎖係止部１００から脱係させるために、綴杆を開閉させるときの中心ののびる方向に変位させる、押圧部１８０が突設されている。
この実施の形態においては、押圧部１８０は、連結部１４の手前側に突設された円柱状体である。
表紙体１０１０は、裏表紙部１０１４の第２折曲部１０２２に近い領域に、押圧部１８０を回転させるための空間を設けるための凹み１０１４ａを形成され、且つ表表紙部１０１２の第１折曲部１０２０に近い領域に、表表紙部１０１２を閉じたときに押圧部１８０を収容するための凹み１０１２ａを形成されている。
【００３９】
弾発部材３００は、綴杆部１２を閉じているときには、綴じ具１０の綴杆係止部３０（綴杆凸部３４）と閉鎖係止部１００の係止凸部１２０とを係合させる方向に付勢力を作用させている。
押圧部１８０を指で押すことにより、係止された綴じ具１０の綴杆部１２を閉鎖係止部１００の係止凸部１２０から外すときには、弾発部材３００の弾発力に抗して綴じ具１０の綴杆部１２及び連結部１４は、向こう側に移動させて綴杆凸部３４を係止凸部１２０より離れさせ、閉じていた綴杆部１２を開く。
而して、綴杆部１２の綴杆凸部３４は、突き出た方向とは反対側（向こう側）に移動して閉鎖係止部１００の係止凸部１２０から脱係する。
【００４０】
表表紙部１０１２は、綴じ具１０の綴杆部１２との接し合う部分に、貫通孔からなる綴じ具嵌挿孔１０４０が穿設されている。
而して、綴杆部１２は、綴じ具嵌挿孔１０４０に嵌挿されることにより、連結部１４の長さ方向への移動を規制されて、綴杆部１２が不用意に開くことがない。
【産業上の利用可能性】
【００４１】
この発明にかかる帳面は、広く綴じ具を備えた表紙に利用することをできる。
【符号の説明】
【００４２】
１０  綴じ具
１２  綴杆部（基部）
１４  連結部
１６  枢軸部
１６ａ  第１の枢軸部
１６ｂ  第２の枢軸部
１６ｃ  第３の枢軸部
１６ｄ  第４の枢軸部
１６ｅ  第５の枢軸部
１６ｆ  第６の枢軸部
１６ｇ  第７の枢軸部
２０  基部
２２  自由端
３０  綴杆係止部
３２  凹部
３４  綴杆凸部
３６，５６  挿入部
４０  接合面
５０  保持部
５２  軸受部
５２ａ  第１の軸受部
５２ｂ  第２の軸受部
５２ｃ  第３の軸受部
５２ｄ  第４の軸受部
５２ｅ  第５の軸受部
５２ｆ  第６の軸受部
５４  枢軸収容部
７０  第１の孔
７２  第２の孔
１００  閉鎖係止部
１１０  綴杆先端受容部
１１０ａ  第１の綴杆先端受容部
１１０ｂ  第２の綴杆先端受容部
１２０  係止凸部
１８０  押圧部
２００  枢軸
３００  弾発部材
１０００  手帳
１０１０  表紙体
１０１２  表表紙部
１０１２ａ，１０１４ａ  凹み
１０１４  裏表紙部
１０１６  背表紙部
１０２０  第１折曲部
１０２２  第２折曲部
１０３０  内表面
１０３２  外表面
１１１０  リーフ
１１１２  綴じ穴
１０４０  綴じ具嵌挿孔
【図１】
0006016837.tif 000002
【図２】
0006016837.tif 000003
【図３】
0006016837.tif 000004
【図４】
0006016837.tif 000005
【図５】
0006016837.tif 000006
【図６】
0006016837.tif 000007
【図７】
0006016837.tif 000008
【図８】
0006016837.tif 000009
【図９】
0006016837.tif 000010
【図１０】
0006016837.tif 000011
【図１１】
0006016837.tif 000012
【図１２】
0006016837.tif 000013
【図１３】
0006016837.tif 000014
【図１４】
0006016837.tif 000015
【図１５】
0006016837.tif 000016
【図１６】
0006016837.tif 000017
【図１７】
0006016837.tif 000018
【図１８】
0006016837.tif 000019
【図１９】
0006016837.tif 000020
【図２０】
0006016837.tif 000021
【図２１】
0006016837.tif 000022
【図２２】
0006016837.tif 000023
【図２３】
0006016837.tif 000024
【図２４】
0006016837.tif 000025